(57)【要約】【課題】映像コンテンツのシーンを字幕データにより迅速に検索可能な映像再生装置および映像再生方法を提供する。【解決手段】この映像再生装置１００は、映像コンテンツを選択するための選択操作を受け付け、選択された映像コンテンツ内の映像または映像に基づく画像を表示させずに選択された映像コンテンツ内の字幕データの文字列を一覧表示させる制御を行い、一覧表示された映像コンテンツ内の字幕データの文字列に対する選択操作を受け付けると、選択された字幕データの文字列に対応するシーンの映像コンテンツの映像を再生させる制御を行う。【選択図】図４
2020167581.tif 000002
【特許請求の範囲】
【請求項１】
ユーザによる入力操作および選択操作を受け付ける操作受付部と、
字幕データおよび映像を含む映像コンテンツから字幕データおよび映像を取得する制御部を備え、
前記制御部は、前記映像コンテンツを選択するための選択操作を前記操作受付部により受け付け、選択された前記映像コンテンツ内の映像または映像に基づく画像を表示させずに前記選択された映像コンテンツ内の字幕データの文字列を一覧表示させる制御を行い、一覧表示された前記映像コンテンツ内の字幕データの文字列に対する選択操作を前記操作受付部により受け付けると、選択された字幕データの文字列に対応するシーンの前記映像コンテンツの映像を再生させる制御を行うように構成されている、映像再生装置。
【請求項２】
前記制御部は、前記選択された映像コンテンツの字幕データ内から、前記操作受付部により入力操作を受け付けたキーワードを検索し、前記映像コンテンツの字幕データ内の前記キーワードを含む字幕データの文字列を一覧表示させる制御を行うように構成されている、請求項１に記載の映像再生装置。
【請求項３】
前記映像コンテンツを複数記憶することが可能な記憶部をさらに備え、
前記制御部は、前記記憶部に記憶された複数の前記映像コンテンツから前記キーワードを含む字幕データの文字列を前記映像コンテンツ毎に表示させる制御を行った後、前記映像コンテンツを選択するための選択操作を前記操作受付部により受け付け、前記選択された映像コンテンツ内の映像または映像に基づく画像を表示させずに字幕データの前記キーワードを含む字幕データの文字列を一覧表示させる制御を行うとともに、一覧表示された前記キーワードを含む字幕データの文字列に対応するシーンの時間に関する画像を表示させる制御を行うように構成されている、請求項２に記載の映像再生装置。
【請求項４】
前記制御部は、前記キーワードに該当する字幕データの文字列を強調表示させる制御を行うことともに、一覧表示された字幕データの文字列に対応したシーンの時間に関する画像のうち、再生済みのシーンの時間に関する画像と未再生のシーンの時間に関する画像とを識別可能に表示させる制御を行うように構成されている、請求項２または３に記載の映像再生装置。
【請求項５】
前記制御部は、前記操作受付部により入力操作を受け付けた前記キーワードを検索し、前記選択された映像コンテンツの字幕データ内の前記キーワードを含む複数の字幕データの文字列を一覧表示させる際に、同一文字列の前記キーワードが過去に検索されたことがあり、かつ、同一文字列の前記キーワードを検索後に前記映像コンテンツの映像を過去に再生させたことがある場合には、同一文字列の前記キーワードを検索後に過去に再生された前記映像コンテンツの映像を再生させるための表示を行う制御をするように構成されている、請求項２〜４のいずれか１項に記載の映像再生装置。
【請求項６】
字幕データおよび映像を含む映像コンテンツを選択するための選択操作を受け付け、
選択された前記映像コンテンツ内の映像または映像に基づく画像を表示させずに前記選択された映像コンテンツ内の字幕データの文字列を一覧表示させる制御を行い、一覧表示された前記映像コンテンツ内の字幕データの文字列に対する選択操作を受け付け、
選択された字幕データの文字列に対応するシーンから前記映像コンテンツの映像を再生させる、映像再生方法。
【発明の詳細な説明】
【技術分野】
【０００１】
本発明は、映像コンテンツの映像を再生させる映像再生装置および映像再生方法に関する。
【背景技術】
【０００２】
従来、映像コンテンツの映像を再生させる映像再生装置が知られている（たとえば、特許文献１参照）。
【０００３】
上記特許文献１には、録画データ（映像コンテンツ）を記憶する録画データ記憶手段と、メタデータ記憶手段と、検索手段と、表示制御手段とを備える映像再生装置が開示されている。また、メタデータ記憶手段は、録画データに関するテキストデータと、テキストデータに対応する時刻情報を含むメタデータとを記憶する。また、検索手段は、メタデータ記憶手段により記憶されているテキストデータを用いて、ユーザが所望する録画データをキーワードに基づいて検索する。また、表示制御手段は、検索された録画データに対応するテキストデータを時系列に所定数表示する。上記特許文献１に記載の映像再生装置では、ユーザが所望する録画データをキーワードにより検索した場合に、テキストデータに加えて、録画データの動画像データ、または、サムネイル画像データを表示させるように構成されている。
【先行技術文献】
【特許文献】
【０００４】
【特許文献１】特開２００６−２６２０５８号公報
【発明の概要】
【発明が解決しようとする課題】
【０００５】
しかしながら、上記特許文献１に記載の映像再生装置では、ユーザが所望する録画データをキーワードにより検索した場合に、テキストデータに加えて、録画データの動画像データ、または、サムネイル画像データを表示させるように構成されている。このため、上記特許文献１に記載の映像再生装置では、データ量が大きい動画像データ、または、サムネイル画像データの画像を表示させる分、表示処理に時間がかかってしまい、映像コンテンツの検索に時間がかかるという不都合がある。その結果、映像コンテンツのシーン検索に時間がかかってしまうというという問題点がある。
【０００６】
この発明は、上記のような課題を解決するためになされたものであり、この発明の１つの目的は、映像コンテンツのシーン検索を迅速に行うことが可能な映像再生装置および映像再生方法を提供することである。
【課題を解決するための手段】
【０００７】
上記目的を達成するために、この発明の第１の局面による映像再生装置では、ユーザによる入力操作および選択操作を受け付ける操作受付部と、字幕データおよび映像を含む映像コンテンツから字幕データおよび映像を取得する制御部を備え、制御部は、映像コンテンツを選択するための選択操作を操作受付部により受け付け、選択された映像コンテンツ内の映像または映像に基づく画像を表示させずに選択された映像コンテンツ内の字幕データの文字列を一覧表示させる制御を行い、一覧表示された映像コンテンツ内の字幕データの文字列に対する選択操作を操作受付部により受け付けると、選択された字幕データの文字列に対応するシーンの映像コンテンツの映像を再生させる制御を行うように構成されている。なお、文字列に含まれる文字は、漢字、平仮名、片仮名、英数字などの文字に限らず、記号や符号などの文字も含む。
【０００８】
この発明の第１の局面による映像再生装置では、制御部を、上記のように、選択された映像コンテンツ内の映像または映像に基づく画像を表示させずに選択された映像コンテンツ内の字幕データの文字列を一覧表示させる制御を行い、一覧表示された映像コンテンツ内の字幕データの文字列に対する選択操作を操作受付部により受け付けると、選択された字幕データの文字列に対応するシーンの映像コンテンツの映像を再生させる制御を行うように構成することによって、目的のシーンを選択するまでは、映像または映像に基づく画像が表示されない。これにより、データ量が大きい画像データの表示を行う場合に比べて、処理を簡素化することができる。その結果、映像コンテンツのシーンを検索するための処理を迅速に行うことができるので、映像コンテンツのシーン検索を迅速に行うことが可能な映像再生装置を提供することができる。
【０００９】
この発明の第１の局面による映像再生装置では、制御部は、選択された映像コンテンツの字幕データ内から、操作受付部により入力操作を受け付けたキーワードを検索し、映像コンテンツの字幕データ内のキーワードを含む字幕データの文字列を一覧表示させる制御を行うように構成されている。このように構成すれば、キーワードによる検索により、ユーザが映像コンテンツのキーワードを含む字幕データから目的のシーンを容易に探し出すことができる。
【００１０】
この発明の第１の局面による映像再生装置では、映像コンテンツを複数記憶することが可能な記憶部をさらに備え、制御部は、記憶部に記憶された複数の映像コンテンツからキーワードを含む字幕データの文字列を映像コンテンツ毎に表示させる制御を行った後、映像コンテンツを選択するための選択操作を操作受付部により受け付け、選択された映像コンテンツ内の映像または映像に基づく画像を表示させずに字幕データのキーワードを含む字幕データの文字列を一覧表示させる制御を行うとともに、一覧表示されたキーワードを含む字幕データの文字列に対応するシーンの時間に関する画像を表示させる制御を行うように構成されている。このように構成すれば、記憶部に記憶された複数の映像コンテンツに対して、キーワードによる検索により、記憶部に記憶された複数の映像コンテンツの中から、目的とする映像コンテンツおよびシーンを容易に探し出すことできる。また、一覧表示された字幕データの文字列に対応するシーンの時間に関する画像を表示させることにより、映像コンテンツ内での字幕データの文字列に対応するシーンの時間をユーザが確認することができる。
【００１１】
この発明の第１の局面による映像再生装置では、制御部は、キーワードに該当する字幕データの文字列を強調表示させる制御を行うことともに、一覧表示された字幕データの文字列に対応したシーンの時間に関する画像のうち、再生済みのシーンの時間に関する画像と未再生のシーンの時間に関する画像とを識別可能に表示させる制御を行うように構成されている。このように構成すれば、一覧表示された字幕データの文字列において、キーワードに該当する字幕データの文字列を強調表示することにより、キーワードの視認性を高めることができる。また、再生済みのシーンと未再生のシーンとを識別可能に表示することにより、シーンを選択する際に、ユーザが再生済みのシーンと未再生のシーンとを容易に識別することができるので、シーン選択の際の操作性を向上させることができる。
【００１２】
この発明の第１の局面による映像再生装置では、制御部は、操作受付部により入力操作を受け付けたキーワードを検索し、選択された映像コンテンツの字幕データ内のキーワードを含む複数の字幕データの文字列を一覧表示させる際に、同一文字列のキーワードが過去に検索されたことがあり、かつ、同一文字列のキーワードを検索後に映像コンテンツの映像を過去に再生させたことがある場合には、同一文字列のキーワードを検索後に過去に再生された映像コンテンツの映像を再生させるための表示を行う制御をするように構成されている。このように構成すれば、過去に検索したことのあるキーワードを再度検索した場合に、過去の検索で再生された映像コンテンツの映像が再生されるので、過去の検索において再生させた映像コンテンツの映像を再生したい場合に迅速に映像を再生することができる。
【００１３】
この発明の第２の局面による映像再生方法では、字幕データおよび映像を含む映像コンテンツを選択するための選択操作を受け付け、選択された映像コンテンツ内の映像または映像に基づく画像を表示させずに選択された映像コンテンツ内の字幕データの文字列を一覧表示させる制御を行い、一覧表示された映像コンテンツ内の字幕データの文字列に対する選択操作を受け付け、選択された字幕データの文字列に対応するシーンから映像コンテンツの映像を再生させる。
【００１４】
この発明の第２の局面による映像再生方法では、上記のように、選択された映像コンテンツ内の映像または映像に基づく画像を表示させずに選択された映像コンテンツ内の字幕データの文字列を一覧表示させる制御を行い、一覧表示された映像コンテンツ内の字幕データの文字列に対する選択操作を受け付け、選択された字幕データの文字列に対応するシーンから映像コンテンツの映像を再生させることによって、目的のシーンを選択するまでは、映像または映像に基づく画像が表示されない。これにより、データ量が大きい画像データの表示を行う場合に比べて、処理を簡素化することができる。その結果、映像コンテンツのシーンを検索するための処理を迅速に行うことができるので、映像コンテンツのシーン検索を迅速に行うことが可能な映像再生方法を提供することができる。
【発明の効果】
【００１５】
本発明によれば、映像コンテンツのシーン検索を迅速に行うことが可能な映像再生装置および映像再生方法を提供することができる。
【図面の簡単な説明】
【００１６】
【図１】本発明の一実施形態によるテレビジョン装置のブロック図である。
【図２】本発明の一実施形態によるテレビジョン装置のキーワード入力画面を示す図である。
【図３】本発明の一実施形態によるテレビジョン装置の番組選択画面を示す図である。
【図４】本発明の一実施形態によるテレビジョン装置のシーン選択画面を示す図である。
【図５】本発明の一実施形態によるテレビジョン装置の字幕選択画面を示す第１図である。
【図６】本発明の一実施形態によるテレビジョン装置の字幕選択画面を示す第２図である。
【図７】本発明の一実施形態によるテレビジョン装置の字幕選択画面を示す第３図である。
【図８】本発明の一実施形態によるテレビジョン装置の字幕シーン再生画面を示す図である。
【図９】本発明の一実施形態によるテレビジョン装置の履歴再生確認画面を示す図である。
【図１０】本発明の一実施形態によるテレビジョン装置の字幕検索を説明するための第１フローチャートである。
【図１１】本発明の一実施形態によるテレビジョン装置の字幕検索を説明するための第２フローチャートである。
【図１２】本発明の一実施形態によるテレビジョン装置の字幕検索を説明するための第３フローチャートである。
【図１３】本発明の一実施形態によるテレビジョン装置の字幕検索を説明するための第４フローチャートである。
【発明を実施するための形態】
【００１７】
以下、本発明を具体化した実施形態を図面に基づいて説明する。
【００１８】
図１を参照して、本発明の一実施形態によるテレビジョン装置１００の構成について説明する。なお、テレビジョン装置１００は、特許請求の範囲の「映像再生装置」の一例である。
【００１９】
本発明の一実施形態によるテレビジョン装置１００は、図１に示すように、チューナー１と、信号分離部２と、映像再生部３と、ディスプレイ４と、字幕解析部５と、操作受付部６と、内蔵ＨＤＤ（Ｈａｒｄ  Ｄｉｓｋ  Ｄｒｉｖｅ）７と、メモリ部８と、制御部９と、を備えている。なお、内蔵ＨＤＤ７は、特許請求の範囲の「記憶部」の一例である。
【００２０】
チューナー１は、アンテナ２００を介して、地上デジタル放送、ＢＳデジタル放送およびＣＳデジタル放送などのデジタル放送を受信するように構成されている。デジタル放送では、伝送方式として、ＭＰＥＧ−２  ＴＳ（Ｔｒａｎｓｐｏｒｔ  Ｓｔｒｅａｍ）方式が用いられる。ＭＰＥＧ−２  ＴＳ方式では、ＰＥＳ（Ｐａｃｋｅｔｉｚｅ  Ｅｌｅｍｅｎｔａｒｙ  Ｓｔｒｅａｍ）を地上デジタル放送、ＢＳデジタル放送およびＣＳデジタル放送などの各伝送路（電波）に合わせて、固定長のパケットへ分割している。なお、ＰＥＳは、映像および音声データを符号化した映像ＥＳ（Ｅｌｅｍｅｎｔａｒｙ  Ｓｔｒｅａｍ）および音声ＥＳに加えて、字幕および文字スーパーのデータなどをパケット化したものである。なお、字幕は、放送番組に同期して、文字を表示するための文字情報である。また、文字スーパーは、放送番組に同期せず、画像として文字を表示するための文字情報である。また、字幕および文字スーパーのＰＥＳは、字幕と文字スーパーとを識別するための情報が含まれるＰＥＳヘッダ領域と、字幕データなどの文字情報そのものに加えて、字幕表示タイミングなどが含まれるＰＥＳデータ領域で構成されている。なお、本明細書では、字幕とは、字幕および文字スーパーを含む。
【００２１】
信号分離部２は、制御部９の制御により、チューナー１により受信したデジタル放送のＰＥＳから、映像データ、字幕データおよび字幕表示タイミングを取得する。
【００２２】
映像再生部３は、制御部９の制御により、信号分離部２により取得された、映像データ、字幕データおよび字幕表示タイミングに基づいて、ディスプレイ４に表示する映像および画像を生成する。
【００２３】
ディスプレイ４は、チューナー１が受信したデジタル放送または内蔵ＨＤＤ７に録画された録画番組を再生する表示部である。ディスプレイ４は、映像再生部３により、生成された映像および画像を表示する。また、ディスプレイ４は、後述するキーワード入力画面４１、番組選択画面４２、シーン選択画面４３、字幕選択画面４４、字幕シーン再生画面４５および履歴再生確認画面４８などが表示される。ディスプレイ４は、ＣＲＴ（Ｃａｔｈｏｄｅ  Ｒａｙ  Ｔｕｂｅ）ディスプレイ、ＬＣＤ（Ｌｉｑｕｉｄ  Ｃｒｙｓｔａｌ  Ｄｉｓｐｌａｙ）ディスプレイおよびＯＬＥＤ（Ｏｒｇａｎｉｃ  Ｌｉｇｈｔ  Ｅｍｉｔｔｉｎｇ  Ｄｉｏｄｅ）ディスプレイなどを含む。
【００２４】
字幕解析部５は、制御部９の制御により、信号分離部２が所得した字幕データの解析を行う。また、字幕解析部５は、後述する字幕検索において、キーワード検索などを行うために、制御部９の制御により、字幕データの解析を行う。
【００２５】
操作受付部６は、ユーザからの操作をリモコン６１または、テレビジョン装置１００本体に設けられたボタン（図示せず）などを介して受け付ける。また、本実施形態では、操作受付部６は、ユーザによる入力操作および選択操作を受け付けるように構成されている。具体的には、操作受付部６は、リモコン６１およびボタンなどからの信号を受信する。操作受付部６は、受信した信号からテレビジョン装置１００に対する入力操作および選択操作を判断し、その結果をテレビジョン装置１００の各部の制御を行う制御部９に送信する。これにより、ユーザは、リモコン６１の操作を行うことによって、テレビジョン装置１００の操作を行うことができる。
【００２６】
内蔵ＨＤＤ７は、テレビジョン装置１００に内蔵された記憶デバイスであり、信号分離部２および制御部９に接続している。また、本実施形態では、内蔵ＨＤＤ７は、映像コンテンツを複数記憶することが可能に構成されている。具体的には、内蔵ＨＤＤ７は、チューナー１より受信したデジタル放送を、信号分離部２を介して、録画（記憶）する。また、録画された録画番組（デジタル放送番組）の映像および字幕は、制御部９の制御により、ディスプレイ４で再生および表示できるように構成されている。なお、録画番組は、特許請求の範囲の「映像コンテンツ」の一例である。
【００２７】
メモリ部８は、記憶装置であり、たとえば、ＲＡＭ（Ｒａｎｄｏｍ  Ａｃｃｅｓｓ  Ｍｅｍｏｒｙ）を含む。メモリ部８は、信号分離部２を介して、制御部９により取得される字幕データを保存する。また、メモリ部８は、後述する字幕検索において、キーワードおよびキーワードを含む録画番組の番組情報を保存する。また、メモリ部８は、後述する字幕検索において、検索対象として設定された録画番組、検索対象の録画番組のキーワード周辺の字幕データおよび字幕表示のタイミングを保存する。
【００２８】
制御部９は、テレビジョン装置１００の各部の制御を行うように構成されている。たとえば、制御部９は、操作受付部６から受信した信号に基づいて、ディスプレイ４の表示内容の制御を行うことが可能なように構成されている。
【００２９】
また、本実施形態では、制御部９は、字幕データおよび映像を含む映像コンテンツから字幕データおよび映像を取得するように構成されている。具体的には、制御部９は、チューナー１により受信したデジタル放送の映像および字幕データなどを、信号分離部２を介して、取得する。また、制御部９は、内蔵ＨＤＤ７に録画された録画番組の映像および字幕データなどを、信号分離部２を介して、取得する。制御部９は、取得された映像および字幕データに基づいて、映像再生部３を介して、ディスプレイ４に映像および画像を再生するように構成されている。
【００３０】
また、本実施形態では、制御部９は、映像コンテンツを選択するための選択操作を操作受付部６により受け付ける。また、制御部９は、選択された映像コンテンツ内の映像または映像に基づく画像を表示させずに選択された映像コンテンツ内の字幕データの文字列を一覧表示させる制御を行う。また、制御部９は、一覧表示された映像コンテンツ内の字幕データの文字列に対する選択操作を操作受付部６により受け付けると、選択された字幕データの文字列に対応するシーンの映像コンテンツの映像を再生させる制御を行うように構成されている。具体的には、制御部９は、まず、内蔵ＨＤＤ７に録画された録画番組から、映像およびサムネイル画像データは表示せずに、ユーザが選択した録画番組の字幕を一覧表示させる。そして、制御部９は、一覧表示された字幕に対する、ユーザによる選択操作を受け付けると、選択された字幕に対応したシーンから、録画番組の映像をディスプレイ４に再生させる。なお、文字列に含まれる文字は、漢字、平仮名、片仮名、英数字などの文字に限らず、記号や符号などの文字も含む。
【００３１】
また、本実施形態では、制御部９は、選択された映像コンテンツの字幕データ内から、操作受付部６により入力操作を受け付けたキーワードを検索し、映像コンテンツの字幕データ内のキーワードを含む字幕データの文字列を一覧表示させる制御を行うように構成されている。具体的には、制御部９は、ユーザにより入力されたキーワードを録画番組の字幕データの中から検索し、録画番組内で検索されたキーワードおよびその周辺の文字列をディスプレイ４に一覧で表示させる。
【００３２】
本実施形態での、録画番組の字幕検索時に表示されるキーワード入力から映像再生までの各画面について、図２〜図９を参照して、説明する。
【００３３】
（キーワード入力画面）
図２に、キーワード入力画面４１を示す。キーワード入力画面４１は、ユーザが字幕検索を行うためのキーワードを入力する画面である。ユーザは、キーワード入力画面４１に表示されたカーソル４６をリモコン６１により操作することにより、キーワードとなる文字列を入力（入力操作）する。制御部９は、リモコン６１による入力操作を操作受付部６により受け付け、キーワードの入力を受け付ける。なお、本実施形態では、検索用のキーワードとして、「ハンバーグ」を入力した例により説明を行う。なお、入力されたキーワードは、メモリ部８に記録される。
【００３４】
（番組選択画面）
図３に、番組選択画面４２を示す。番組選択画面４２は、内蔵ＨＤＤ７に記憶された録画番組データの字幕データから、キーワードである「ハンバーグ」を検索した結果が表示される。番組選択画面４２には、字幕データにキーワードを含む録画番組の番組名が表示されている。また、番組選択画面４２には、録画番組毎に、録画番組の字幕データ内からキーワードを含む字幕（字幕データの文字列）が表示される。また、番組選択画面４２には、キーワードだけでなく、キーワード前の字幕、キーワード後の字幕またはその両方の字幕（キーワード前後の字幕）も表示する。なお、番組選択画面４２に表示されるキーワードを含む字幕（字幕データの文字列）は、録画番組内の代表的な字幕であり、たとえば、録画番組内で最初に現れるキーワードを含む字幕である。また、番組選択画面４２には、録画番組内の映像、または、サムネイル画像は表示されない。また、内蔵ＨＤＤ７に記憶された録画番組データの字幕データから、検索を行う際には、制御部９は、内蔵ＨＤＤ７に記憶（録画）された全ての録画番組を対象としてもよいし、たとえば、録画番組のジャンルを選択するなどして、ユーザにより選択された番組のみを対象としてもよい。
【００３５】
また、本実施形態では、制御部９は、記憶部に記憶された複数の映像コンテンツからキーワードを含む字幕データの文字列を映像コンテンツ毎に表示させる制御を行った後、映像コンテンツを選択するための選択操作を操作受付部６により受け付ける。具体的には、番組選択画面４２に表示された録画番組の中から、ユーザはリモコン６１などによりカーソル４６を操作し、任意の録画番組を選択（選択操作）する。操作受付部６は、ユーザによる番組選択画面４２での選択操作を受け付け、受け付けた操作内容を判断し、その結果を制御部９に送信する。
【００３６】
（シーン選択画面）
図４に、シーン選択画面４３を示す。シーン選択画面４３は、番組選択画面４２からユーザが選択した録画番組内のキーワードを含むシーンを一覧表示した画面である。なお、図４では、「かんたんクッキング」を選択した例を示す。ユーザは、シーン選択画面４３に表示されたシーンの中から、リモコン６１などによりカーソル４６を操作し、任意のシーンを選択（選択操作）する。
【００３７】
本実施形態では、制御部９は、選択された映像コンテンツ内の映像または映像に基づく画像を表示させずに字幕データのキーワードを含む字幕データの文字列を一覧表示させる制御を行うように構成されている。また、制御部９は、一覧表示されたキーワードを含む字幕データの文字列に対応するシーンの時間に関する画像４７を表示させる制御を行うように構成されている。具体的には、シーン選択画面４３は、選択された録画番組内のキーワードを含む字幕（字幕データの文字列）がシーン毎に一覧表示されている。また、シーン選択画面４３には、時間に関する画像４７が表示される。なお、時間に関する画像４７とは、録画番組内において、各キーワードが表示される時間帯を示すための画像である。図４に示すシーン選択画面４３では、全３０分の録画番組において、番組開始０分後（０：００）、番組開始３分後（０：０３）、番組開始１５分後（０：１５）および番組開始２５分後（０：２５）にキーワードを含む字幕が存在することを表す例である。また、シーン選択画面４３には、録画番組内の映像、または、サムネイル画像は表示されない。
【００３８】
また、本実施形態では、制御部９は、キーワードに該当する字幕データの文字列を強調表示させる制御を行うように構成されている。また、制御部９は、一覧表示された字幕データの文字列に対応したシーンの時間に関する画像４７のうち、再生済みのシーンの時間に関する画像４７と未再生のシーンの時間に関する画像４７とを識別可能に表示させる制御を行うように構成されている。具体的には、シーン選択画面４３に表示される字幕内のキーワードは、キーワードを太字にする、もしくは、キーワードを字幕の他の文字と異なる色にする（たとえば、背景画面の色が青色、かつ、字幕の文字が白色である場合に、キーワードの文字を赤字にする）などして、キーワード以外の字幕と識別しやすくなるように強調表示される。本実施形態では、図４に示すように、キーワードである「ハンバーグ」を太字で表示した例を示す。また、過去に検索により映像が再生されたシーン（再生済みのシーン）の時間に関する画像４７は、未再生のシーンの箇所の時間に関する画像４７と識別できるように、たとえば、画像の色を変更するなど、表示方法を変更することで再生済みのシーンと未再生のシーンとを識別しやすくする。本実施形態では、図４に示すように、番組開始２５分後（０：２５）が再生済みのシーンとして、色を変えて表示（ハッチングにより図示）される例を示す。
【００３９】
（字幕選択画面）
図５に、シーン選択画面４３において、番組開始０分後（０：００）の「今日はハンバーグを作っていただきましょう。」を選択した場合の字幕選択画面４４の例を示す。字幕選択画面４４は、シーン選択画面４３で選択されたシーンから字幕が表示されている。ユーザは、リモコン６１の操作により、カーソル４６を動かすことで、字幕選択画面４４を上下に１行ずつスクロール（図６および図７参照）させることができる。または、ユーザは、リモコン６１の操作により、字幕選択画面４４のページ送りをすることができるようにしてもよい。これらの操作（字幕移動操作）により、ユーザは、録画番組内の字幕全文が確認できるようになっている。また、ユーザの操作により、字幕選択画面４４に表示された字幕から任意の字幕が選択され、映像の再生が選択された場合、選択された字幕に対応するシーンから録画番組の映像の再生が行われる。また、字幕選択画面４４には、録画番組内の映像、または、サムネイル画像は表示されず、任意の字幕から映像の再生が選択されて、はじめて、ディスプレイ４に映像が表示される。
【００４０】
（字幕シーン再生画面）
図８に、字幕シーン再生画面４５を示す。字幕シーン再生画面４５は、字幕選択画面４４では、選択された字幕に対応するシーンから録画番組内の映像が再生される。なお、字幕シーン再生画面４５には、字幕選択画面４４で選択された字幕の情報を併せて表示してもよい。
【００４１】
（履歴再生確認画面）
図９に、履歴再生確認画面４８を示す。履歴再生確認画面４８は、キーワード入力画面４１で入力されたキーワードと同一の文字列のキーワードが過去に検索されたことがあり、かつ、検索後に録画番組の映像を再生させたことがある場合に表示される。
【００４２】
また、本実施形態では、制御部９は、操作受付部６により入力操作を受け付けたキーワードを検索し、選択された映像コンテンツの字幕データ内のキーワードを含む複数の字幕データの文字列を一覧表示させる際に、同一文字列のキーワードが過去に検索されたことがあり、かつ、同一文字列のキーワードを検索後に映像コンテンツの映像を過去に再生させたことがある場合には、同一文字列のキーワードを検索後に過去に再生された映像コンテンツの映像を再生させるための表示を行う制御をするように構成されている。具体的には、制御部９は、キーワード検索後に字幕を選択し、映像を再生した場合に、メモリ部８などにキーワードおよび選択された字幕の字幕表示タイミング（再生シーン）を保存しておく。そして、キーワードによる字幕検索が行われた場合に、制御部９は、保存されているキーワードと入力されたキーワードを比較する。保存されているキーワード（過去に入力されたキーワード）が入力されたキーワードと同一文字列であり、かつ、保存されたキーワードの検索後に映像を再生していた場合、制御部９は、過去に再生した映像を再生するか否かを選択するための表示として、履歴再生確認画面４８をディスプレイ４に表示させる。ユーザにより、再生を行うことが選択された場合、制御部９は、保存されている過去に選択された字幕の字幕表示タイミング（再生シーン）を取得する。制御部９は、取得した過去に選択された字幕の字幕表示タイミング（再生シーン）に基づいて、録画番組の映像を再生する。なお、履歴再生確認画面４８は、特許請求の範囲の「映像コンテンツの映像を再生させるための表示」の一例である。
【００４３】
（字幕検索フロー）
本実施形態の字幕検索フローにおける制御部９の制御について、図１０〜図１３に示したフローチャートに基づいて説明する。
【００４４】
まず、はじめに、ステップＳ１（図１０参照）において、制御部９は、キーワード入力画面４１（図２参照）を表示させる。キーワード入力画面４１は、ディスプレイ４に表示される。ユーザは、ディスプレイ４に表示されたキーワード入力画面４１を確認しながら、リモコン６１を用いて入力操作を行うことにより、キーワードを入力する。
【００４５】
ステップＳ２において、制御部９は、操作受付部６を介して、キーワード入力操作を受け付けて、キーワードを保存する。操作受付部６は、リモコン６１からの信号を受信する。操作受付部６は、受信した信号に基づいて、入力操作を受け付ける。キーワードは、受け付けた入力操作に基づいて、設定される。また、制御部９は、設定されたキーワードをメモリ部８に一時的に保存する。
【００４６】
ステップＳ３において、制御部９は、検索対象となる録画番組を設定する。制御部９は、内蔵ＨＤＤ７に録画された全録画番組、もしくは、予め設定もしくはユーザにより設定された所定の条件に基づいて、検索対象となる録画番組を設定する。本実施形態では、一例として、内蔵ＨＤＤ７に録画された全録画番組を検索対象として、設定した例で説明を行う。
【００４７】
ステップＳ４において、制御部９は、全ての検索対象の検索が完了したか否かを判別する。全ての検索対象となる録画番組の検索が完了していなかった場合には、ステップＳ５に移行する。また、全ての検索対象となる録画番組の検索が完了していた場合には、ステップＳ８に移行する。
【００４８】
ステップＳ５において、制御部９は、字幕データからキーワードを検索する。制御部９は、検索対象となる録画番組のデータから信号分離部２を介して、字幕データを取得する。制御部９は、取得した字幕データを字幕解析部５により解析する。また、制御部９は、解析した字幕データ内からメモリ部８に一時保存したキーワードを検索する。
【００４９】
ステップＳ６において、制御部９は、ステップＳ５の検索結果から、字幕データ内にキーワードを含むか否かを判別する。検索対象とした録画番組の録画番組データ内に、キーワードを含む場合には、ステップＳ７に移行する。また、検索対象とした録画番組の録画番組データ内に、キーワードを含まない場合には、ステップＳ３に戻る。
【００５０】
ステップＳ７において、制御部９は、番組情報を取得して、保存する。制御部９は、キーワードを含む録画番組の番組情報を取得し、所得した番組情報をメモリ部８に一時的に保存する。
【００５１】
ステップＳ８において、制御部９は、番組選択画面４２（図３参照）を表示させる。制御部９は、ステップＳ７において、メモリ部８に保存した番組情報を取得する。制御部９は、取得した番組情報に基づき、映像再生部３を介して、字幕データ内にキーワードを含む録画番組をディスプレイ４に一覧表示させる。なお、キーワード入力画面４１で入力されたキーワードと同一の文字列のキーワードが過去に検索されたことがあり、かつ、検索後に録画番組の映像を過去に再生させたことがある場合には、制御部９は、履歴再生確認画面４８をディスプレイ４に表示させる。
【００５２】
ステップＳ９（図１１参照）において、制御部９は、操作受付部６を介して、ユーザによる番組選択操作を受け付ける。ユーザは、ディスプレイ４に一覧表示されたキーワードを含む録画番組から、検索対象とする任意の録画番組を選択するための選択操作を行う。操作受付部６は、ユーザによる選択操作を受け付ける。なお、選択される録画番組は複数でもよい。
【００５３】
ステップＳ１０において、制御部９は、検索対象の録画番組を設定して、設定された録画番組を保存する。検索対象とする録画番組は、ステップＳ９において、操作受付部６により受け付けた選択操作により設定される。制御部９は、設定された録画番組をメモリ部８に一時的に保存する。
【００５４】
ステップＳ１１において、制御部９は、検索対象の録画番組内の検索が完了したか否かを判別する。制御部９は、検索対象の録画番組の字幕データ全てについて、ステップＳ２においてメモリ部８に一時保存したキーワードの検索が完了したか否かを判別する。検索対象の録画番組の字幕データ全てについて、検索が完了していない場合には、ステップＳ１２に移行する。また、検索対象の番組の字幕データ全てについて、検索が完了していた場合には、ステップＳ１５に移行する。
【００５５】
ステップＳ１２において、制御部９は、キーワード検索を行う。制御部９は、信号分離部２を介して、検索対象の録画番組のデータから字幕データを分離する。制御部９は、分離された字幕データを字幕解析部５により解析する。制御部９は、字幕データ内から、ステップＳ２においてメモリ部８に一時保存したキーワードを検索する。
【００５６】
ステップＳ１３において、制御部９は、キーワードが検出されたか否を判別する。検索対象の録画番組の字幕データ内に、キーワードを検出した場合には、ステップＳ１４に移行する。また、検索対象の録画番組の字幕データ内に、キーワードを検出しなかった場合には、ステップＳ１５に移行する。
【００５７】
ステップＳ１４において、制御部９は、検出キーワード周辺の字幕データおよび字幕表示のタイミングを取得して、保存する。制御部９は、検索対象の録画番組の字幕データ内から検出したキーワードの周辺の字幕データおよび字幕表示タイミングを取得した後、メモリ部８に保存し、ステップＳ１１に戻る。
【００５８】
ステップＳ１５において、制御部９は、シーン選択画面４３（図４参照）を表示させる。制御部９は、ステップＳ１４において、メモリ部８に保存された検出キーワード周辺の字幕データおよび字幕表示タイミングを取得する。そして、制御部９は、映像再生部３を介して、検出キーワード周辺の字幕データおよび字幕表示のタイミングに基づいて、キーワードを含む字幕および時間に関する画像４７をディスプレイ４に表示させる。
【００５９】
ステップＳ１６（図１２参照）において、制御部９は、シーン選択操作を受け付ける。ユーザは、ディスプレイ４に表示されたキーワードを含む字幕のシーンから任意のシーンを選択するための選択操作を、リモコン６１などを介して、行う。操作受付部６は、ユーザによるシーン選択操作を受け付ける。
【００６０】
ステップＳ１７において、制御部９は、選択シーン周辺の字幕データおよび字幕表示のタイミングを取得する。制御部９は、ステップＳ１４において、メモリ部８に保存した検出キーワード周辺の字幕データおよび字幕表示のタイミングの中から、操作受付部６により選択操作を受け付けたシーン（選択シーン）に対応する検出キーワード周辺の字幕データおよび字幕表示のタイミングを取得する。
【００６１】
ステップＳ１８において、制御部９は、字幕選択画面４４（図５参照）を表示させる。制御部９は、ステップＳ１７において取得した検出キーワード周辺の字幕データおよび字幕表示のタイミングに基づいて、映像再生部３を介して、選択シーンに対応するキーワードを含む字幕および時間に関する画像４７をディスプレイ４に表示させる。
【００６２】
ステップＳ１９において、制御部９は、字幕移動操作に従って、取得したキーワード周辺の字幕を表示させる。制御部９は、操作受付部６により受け付けた、スクロール操作やページ送り操作などの字幕移動操作に基づいて、取得したキーワード周辺の字幕を、映像再生部３を介して、ディスプレイ４に表示させる。ユーザは、リモコン６１を操作して、再生を行いたい字幕を選択し、映像を再生するための選択操作を行う。
【００６３】
ステップＳ２０において、制御部９は、録画番組のデータにアクセスする。制御部９は操作受付部６を介して、映像を再生するための選択操作に従って、選択されている字幕の字幕表示のタイミングを、映像の再生開始位置として、録画番組のデータにアクセスする。
【００６４】
ステップＳ２１において、制御部９は、映像信号を取得する。制御部９は、ステップＳ２０においてアクセスした録画番組のデータから、信号分離部２を介して、映像信号を取得する。
【００６５】
ステップＳ２２において、制御部９は、ディスプレイ４に映像を再生させる。制御部９は、ステップＳ２１において取得した映像信号を映像再生部３において受け取り、ディスプレイ４に映像を再生させる。
【００６６】
ステップＳ２３（図１３参照）において、制御部９は、ステップＳ２２において再生させた映像の再生が完了したか否かを判別する。映像の再生が完了していた場合には、ステップＳ２４に移行する。映像の再生が完了していない場合には、ステップＳ２３の処理を繰り返す。
【００６７】
ステップＳ２４において、制御部９は、再生が完了したシーン以外にキーワードが存在するか否かを判別する。検索対象の録画番組の字幕データ内に検索キーワードが他に存在する場合には、ステップＳ１５（図１１参照）に戻る。検索対象の録画番組の字幕データ内に検索キーワードが他に存在しない場合には、ステップＳ２５に移行する。
【００６８】
ステップＳ２５において、制御部９は、検索キーワードを含む別番組が存在するか否かを判別する。検索対象内に検索キーワード含む別番組が存在する場合には、ステップＳ８（図１０参照）に戻る。検索対象内に検索キーワード含む別番組が存在しない場合には、ステップＳ２６に移行する。
【００６９】
ステップＳ２６において、制御部９は、外部サイト検索結果を表示させる。制御部９は、図示しない通信部により、外部ネットワーク経由でキーワードの検索を行い、外部サイトでの検索結果をディスプレイ４に表示する。
【００７０】
（本実施形態の効果）
本実施形態では、以下のような効果を得ることができる。
【００７１】
本実施形態では、上記のように、制御部９は、録画番組（映像コンテンツ）を選択するための選択操作を操作受付部６により受け付け、選択された録画番組（映像コンテンツ）内の映像または映像に基づく画像を表示させずに選択された録画番組（映像コンテンツ）内の字幕データの文字列を一覧表示させる制御を行い、一覧表示された録画番組（映像コンテンツ）内の字幕データの文字列に対する選択操作を操作受付部６により受け付けると、選択された字幕データの文字列に対応するシーンの録画番組（映像コンテンツ）の映像を再生させる制御を行う。これにより、目的のシーンを選択するまでは、映像または映像に基づく画像が表示されないので、データ量が大きい画像データの表示を行う場合に比べて、処理を簡素化することができる。その結果、録画番組（映像コンテンツ）のシーンを検索するための処理を迅速に行うことができるので、録画番組（映像コンテンツ）のシーン検索を迅速に行うことが可能なテレビジョン装置１００（映像再生装置）を提供することができる。
【００７２】
本実施形態では、上記のように、制御部９は、選択された録画番組（映像コンテンツ）の字幕データ内から、操作受付部６により入力操作を受け付けたキーワードを検索し、録画番組（映像コンテンツ）の字幕データ内のキーワードを含む字幕データの文字列を一覧表示させる制御を行う。これにより、キーワードによる検索により、ユーザが録画番組（映像コンテンツ）のキーワードを含む字幕データから目的のシーンを容易に探し出すことができる。
【００７３】
本実施形態では、上記のように、録画番組（映像コンテンツ）を複数記憶することが可能な内蔵ＨＤＤ７（記憶部）をさらに備え、制御部９は、内蔵ＨＤＤ７（記憶部）に記憶された複数の録画番組（映像コンテンツ）からキーワードを含む字幕データの文字列を映像コンテンツ毎に表示させる制御を行った後、録画番組（映像コンテンツ）を選択するための選択操作を操作受付部６により受け付け、選択された録画番組（映像コンテンツ）内の映像または映像に基づく画像を表示させずに字幕データのキーワードを含む字幕データの文字列を一覧表示させる制御を行うとともに、一覧表示されたキーワードを含む字幕データの文字列に対応するシーンの時間に関する画像４７を表示させる制御を行う。これにより、内蔵ＨＤＤ７（記憶部）に記憶された複数の録画番組（映像コンテンツ）に対して、キーワードによる検索により、内蔵ＨＤＤ７（記憶部）に記憶された複数の録画番組（映像コンテンツ）の中から、目的とする録画番組（映像コンテンツ）およびシーンを容易に探し出すことできる。また、一覧表示された字幕データの文字列に対応するシーンの時間に関する画像を表示させることにより、録画番組（映像コンテンツ）内での字幕データの文字列に対応するシーンの時間をユーザが確認することができる。
【００７４】
本実施形態では、上記のように、制御部９は、キーワードに該当する字幕データの文字列を強調表示させる制御を行うことともに、一覧表示された字幕データの文字列に対応したシーンの時間に関する画像４７のうち、再生済みのシーンの時間に関する画像４７と未再生のシーンの時間に関する画像４７とを識別可能に表示させる制御を行う。これにより、一覧表示された字幕データの文字列において、キーワードに該当する字幕データの文字列を強調表示することにより、キーワードの視認性を高めることができる。また、再生済みのシーンと未再生のシーンとを識別可能に表示することにより、シーンを選択する際に、ユーザが再生済みのシーンと未再生のシーンとを容易に識別することができるので、シーン選択の際の操作性を向上させることができる。
【００７５】
本実施形態では、上記のように、制御部９は、操作受付部６により入力操作を受け付けたキーワードを検索し、選択された録画番組（映像コンテンツ）の字幕データ内のキーワードを含む複数の字幕データの文字列を一覧表示させる際に、同一文字列のキーワードが過去に検索されたことがあり、かつ、同一文字列のキーワードを検索後に録画番組（映像コンテンツ）の映像を過去に再生させたことがある場合には、同一文字列のキーワードを検索後に履歴再生確認画面４８の表示（過去に再生された録画番組の映像を再生させるための表示）を行う制御をする。これにより、過去に検索したことのあるキーワードを再度検索した場合に、過去の検索で再生された録画番組（映像コンテンツ）の映像が再生されるので、過去の検索において再生させた録画番組（映像コンテンツ）の映像を再生したい場合に迅速に映像を再生することができる。
【００７６】
［変形例］
なお、今回開示された実施形態は、すべての点で例示であって制限的なものではないと考えられるべきである。本発明の範囲は、上記した実施形態の説明ではなく特許請求の範囲によって示され、さらに特許請求の範囲と均等の意味および範囲内でのすべての変更（変形例）が含まれる。
【００７７】
たとえば、上記実施形態では、内蔵ＨＤＤ７を備えたテレビジョン装置１００の例を示したが、本発明は、これに限られない。本発明では、映像再生装置は、記憶部を備えない映像再生装置でもよい。その場合、映像再生装置は、外部装置であるレコーダの記憶部または再生装置により再生される光ディスクから、映像コンテンツの字幕データおよび映像を取得する。
【００７８】
また、上記実施形態では、記憶部として、内蔵ＨＤＤ７を備えたテレビジョン装置１００の例を示したが、本発明は、これに限られない。本発明では、記憶部は、映像再生装置に外付けされた記録デバイスでもよい。
【００７９】
また、上記実施形態では、記憶部として、内蔵ＨＤＤ７を備えたテレビジョン装置１００の例を示したが、本発明は、これに限られない。本発明では、記憶部は、ＨＤＤ以外の記録デバイスでもよく、たとえば、ＳＳＤ（Ｓｏｌｉｄ  Ｓｔａｔｅ  Ｄｒｉｖｅ）、ＢＤ（Ｂｌｕｅ−ｒａｙ  Ｄｉｓｋ  ）ドライブ、およびフラッシュメモリなどを記憶部としてもよい。
【００８０】
また、上記実施形態では、映像再生装置として、ディスプレイ４を備えたテレビジョン装置１００の例を示したが、本発明は、これに限られない。本発明では、ディスプレイ４を備えない、たとえば、ＨＤＤレコーダやＢＤ（Ｂｌｕｅ−ｒａｙ  Ｄｉｓｋ  ）プレイヤーなどの映像再生装置に本発明を適用してもよい。
【００８１】
また、上記実施形態では、映像コンテンツとして、ＭＰＥＧ−２  ＴＳ方式で伝送され、内蔵ＨＤＤ７に録画された録画番組の例を示したが、本発明は、これに限られない。本発明では、ＭＰＥＧ−２  ＴＳ方式以外の映像コンテンツ、たとえば、ＭＰＥＧ−２  ＰＳ（Ｐｒｏｇｒａｍ  Ｓｔｒｅａｍ）方式の映像コンテンツなどに本発明を適用してもよい。
【００８２】
また、上記実施形態では、映像コンテンツとして、内蔵ＨＤＤ７に録画された録画番組データの例を示したが、本発明は、これに限られない。本発明では、映像コンテンツは、たとえば、光ディスクなどに記録された映像コンテンツでもよい。
【００８３】
また、上記実施形態では、制御部９は、キーワード検索を行う例を示したが、本発明は、これに限られない。本発明では、キーワード検索を行わなくてもよく、ユーザが映像コンテンツを選択し、一覧表示された映像コンテンツ内の字幕からシーンを選択するようにしてもよい。
【００８４】
また、上記実施形態では、図３のように、録画番組名とキーワードを含む字幕を羅列するように示したが、本発明は、これに限られない。本発明では、録画番組名とキーワードを含む字幕を、たとえば、ＥＰＧ（Ｅｌｅｃｔｒｏｎｉｃ  Ｐｒｏｇｒａｍ  Ｇｕｉｄｅ）のような番組表形式で表示するようにしてもよい。
【００８５】
また、上記実施形態では、図４のように、字幕とともに時間に関する画像４７を表示する例を示したが、本発明は、これに限られない。本発明では、時間に関する画像を表示せずに字幕のみを表示してもよいし、字幕に対して所定の操作を行った時だけ、時間に関する画像を表示するようにしてもよい。
【００８６】
また、上記実施形態では、キーワード検索の際に過去に同一の文字列のキーワードが検索され、かつ、映像を再生させたことがある場合に、過去に再生された映像を再生させるための表示を行う構成を示したが、本発明は、これに限られない。本発明では、過去に再生された映像を再生させるための表示を行わなくてもよいし、過去に再生された映像のシーンに該当する字幕データを取得し、その周辺の字幕データを表示するようにしてもよい。
【００８７】
また、上記実施形態では、説明の便宜上、本発明の制御部９の処理動作を処理フローに沿って順番に処理を行うフロー駆動型のフローチャートを用いて説明したが、本発明は、これに限られない。本発明では、制御部による処理動作を、イベント単位で処理を実行するイベント駆動型（イベントドリブン型）の処理により行ってもよい。この場合、完全なイベント駆動型で行ってもよいし、イベント駆動およびフロー駆動を組み合わせて行ってもよい。
【符号の説明】
【００８８】
６  操作受付部
７  内蔵ＨＤＤ（記憶部）
９  制御部
４７  時間に関する画像
４８  履歴再生確認画面（過去に再生された映像を再生させるための表示）
１００  テレビジョン装置（映像再生装置）
【図１】
2020167581.tif 000003
【図２】
2020167581.tif 000004
【図３】
2020167581.tif 000005
【図４】
2020167581.tif 000006
【図５】
2020167581.tif 000007
【図６】
2020167581.tif 000008
【図７】
2020167581.tif 000009
【図８】
2020167581.tif 000010
【図９】
2020167581.tif 000011
【図１０】
2020167581.tif 000012
【図１１】
2020167581.tif 000013
【図１２】
2020167581.tif 000014
【図１３】
2020167581.tif 000015